(57)【要約】【課題】  部品コストの高騰、ランニングコストの高騰を招くことなく、陳列室内の各棚装置に載置される商品の陳列効果を向上させることができるショーケースを提供する。【解決手段】  本発明のショーケース１は、陳列室１１内に商品陳列用の棚装置１２を架設してなるものであって、棚装置１２を構成する棚板２１の前部には、当該棚装置１２上方の陳列室１１内に向けて光を反射する光反射面２２Ａを有する反射部材２２を設け、当該反射部材２２により陳列室１１内を照明する照射光や店舗内を照明する照射光を棚装置１２上方に向けて反射させる。【選択図】図１
2007167376.tif 000002
【特許請求の範囲】
【請求項１】
陳列室内に商品陳列用の棚を架設してなるショーケースにおいて、
前記棚前部に、当該棚上方の前記陳列室内に向けて光を反射する反射部材を設けたことを特徴とするショーケース。
【請求項２】
前記陳列室内を照明するための照明装置を備え、前記反射部材を前記照明装置からの光を反射することを特徴とする請求項１に記載のショーケース。
【請求項３】
前記反射部材の取付角度を調整自在に設けられていることを特徴とする請求項１又は請求項２に記載のショーケース。
【発明の詳細な説明】
【技術分野】
【０００１】
本発明は、陳列室内に商品陳列用の棚を架設してなるショーケースの陳列室内の照明に関するものである。
【背景技術】
【０００２】
従来よりスーパーマーケットやコンビニエンスストアなどに設置されるショーケースは、断熱箱体等の前面に開口を有する本体により構成されており、当該本体内には、前面に開放される陳列室が構成される。この陳列室内には、上下に渡って複数段の棚装置が架設されており、当該棚装置に商品を陳列する。
【０００３】
棚装置に陳列される商品の陳列効果を向上させるため、従来の各種ショーケースでは、照明装置が設けられる。例えば図５に示すショーケース１００では、本体１０１内に前方に開口する陳列室１０２を形成し、当該陳列室１０２内に上下に渡って複数段の棚装置１０３が架設される。そして、この断熱箱体の上壁前方にキャノピー１０４を設け、当該キャノピー１０４の下面に照明装置としての例えば蛍光灯１０５を備える。この蛍光灯１０５によって、陳列室１０２内の上前方から照明することにより、陳列室１０２内及び各棚装置１０３に載置される商品Ｓを照明する。
【０００４】
また、他の照明方法として特許文献１に示されるショーケースの照明装置がある。このショーケースにおける照明装置は、下方の棚板上に載置された商品を照明する照明灯を上方の棚板の下側に設けたものである。これにより、各棚装置に載置される商品を直近の棚板下面に設けられる照明装置によって照明する。
【特許文献１】特開２０００−２３７０１１号公報
【発明の開示】
【発明が解決しようとする課題】
【０００５】
しかしながら、上述した如き図５に示されるようなショーケースでは、キャノピー１０４に設けられた蛍光灯１０５からの照射光は、陳列室１０２内に照射される。このとき、蛍光灯１０５は、陳列室１０２上前方に設けられているため、各棚装置１０３に照射される光は、上方に架設される棚装置１０３の影により、図５にハッチングにて示される如く上から順に少なくなる。そのため、棚装置１０３が下側に位置するほど、照明効果が得られがたくなり、暗くなることから商品Ｓを効果的に陳列することができないという問題がある。
【０００６】
他方、上記特許文献１に示される如きショーケースでは、各棚装置の下面に照明装置が設けられるものであるため、ショーケース内の配線が複雑となると共に、部品点数が増加することで、生産コストの高騰を招く問題がある。また、営業時間においては、ショーケースに設けられるすべての照明装置に通電を行うことから、ランニングコストの高騰を招く問題がある。特に、当該ショーケースが冷蔵ショーケースとして用いられる場合には、係る蛍光灯などの照明装置が、発熱することから、冷却効率が低下する問題もある。
【０００７】
そこで、本発明は従来の技術的課題を解決するために成されたものであり、部品コストの高騰、ランニングコストの高騰を招くことなく、陳列室内の各棚装置に載置される商品の陳列効果を向上させることができるショーケースを提供する。
【課題を解決するための手段】
【０００８】
本発明のショーケースは、陳列室内に商品陳列用の棚を架設してなるものであって、棚前部に、当該棚上方の陳列室内に向けて光を反射する反射部材を設けたことを特徴とする。
【０００９】
請求項２の発明のショーケースは、上記発明において、陳列室内を照明するための照明装置を備え、反射部材を照明装置からの光を反射することを特徴とする。
【００１０】
請求項３の発明のショーケースは、上記各発明において、反射部材の取付角度を調整自在に設けられていることを特徴とする。
【発明の効果】
【００１１】
本発明のショーケースによれば、陳列室内に商品陳列用の棚を架設してなるものであって、棚前部に、当該棚上方の陳列室内に向けて光を反射する反射部材を設けたので、当該ショーケースが設置される店舗等の屋内照明などから光を当該反射部材によって棚上方の陳列室内に向けて反射することが可能となる。また、請求項２の発明の如く陳列室内を照明するための照明装置を備えるショーケースにあっては、当該照明装置からの光を棚前部に設けられる反射部材によって当該棚上方の陳列室内に向けて光を反射することが可能となる。
【００１２】
これにより、棚前部に設けられる反射部材によって、当該ショーケース以外に設けられる照明や自然光、更には、当該ショーケースに設けられる照明装置からの照射光を棚上に陳列される商品に向けて反射することで、棚上を明るくすることができ、商品の陳列効果を向上させることができるようになる。
【００１３】
特に、反射部材は、棚前部に設けられることから、商品の斜め下方から棚上の商品に向けて光を反射させることで、各段の棚装置上方を効果的に照明することが可能となる。これにより、ショーケースに設ける照明装置を増加させることなく、商品の照明効率の向上を実現することができ、生産コスト及びランニングコストの低減を図ることができるようになる。
【００１４】
また、請求項３の発明によれば、上記各発明において、反射部材の取付角度を調整自在に設けられているので、各棚装置ごとに、反射部材の取付角度を調整することができ、より一層、棚装置上方に陳列される商品の陳列効果を向上させることができるようになる。
【発明を実施するための最良の形態】
【００１５】
以下、本発明を適用したショーケースの実施の形態について図面に基づき詳述に説明する。図１は本発明を適用したショーケース１の縦断側面図、図２は反射部材２２部分の棚装置１２の拡大透視側面図、図３は図２の反射部材２２部分の棚装置１２の拡大透視平面図を示している。
【００１６】
ショーケース１は前面に開口する断面略コ字状の断熱壁３と、その両側に取り付けられる側板４によって本体２が構成されており、この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。また、背面パネル６の下端には、前方に延在するデッキパン１０が設けられており、これら背面パネル６、天面パネル７及びデッキパン１０の内側に陳列室１１が構成されている。そして、デッキパン１０の下方には背面ダクト９に連通してその一部を構成する下部ダクト１４が構成されている。
【００１７】
背面ダクト９の前端は陳列室１１の前面開口上縁に位置する冷気吐出口１６に連通し、下部ダクト１４の前端は陳列室１１の前面開口下縁に位置すると共に、冷気吸込口１７に連通している。また、デッキパン１０の下方の下部ダクト１４内には後述する冷却装置Ｒを構成する冷却器１５が縦設されると共に、冷気送給用の送風機１９が配設される。
【００１８】
また、断熱壁２の上壁前部には陳列室１１内を照明するための照明装置として蛍光灯１３が配設されている。更に、この断熱壁２の上壁前端には、左右に渡ってキャノピー２８が設けられており、当該キャノピー２８と断熱壁２の上壁前端間には、照明装置収容空間が形成されており、照明装置としての蛍光灯２９が収容されている。当該蛍光灯２９は、陳列室１１内前部を照明すると共に、ショーケース１直前の外部を照明するものである。
【００１９】
一方、断熱壁３の底壁３Ａの下方には、機械室３０が形成されている。この機械室３０内には、前部に位置して冷却装置Ｒの凝縮器３１が配設されており、その後側に送風機としてのコンデンシングファン３２が取り付けられている。更に、このコンデンシングファン３２の後方にはドレン水蒸発装置３３が設置されていると共に、冷却装置Ｒの圧縮機３４が配設されている。圧縮機３４、凝縮器３１、図示しない減圧装置及び前記冷却器１５は周知の冷媒回路を構成する。
【００２０】
また、この機械室３０の前面には、複数の吸込孔が形成される前面パネル３５が開閉自在に設けられている。断熱壁３の背面には所定間隔を存して排熱用の背面パネル３６が設けられ、当該背面パネル３６と断熱壁３の背面との間に上方に開放された排熱ダクト３７が形成され、当該排熱ダクト３７は、機械室３０の後部において連通して構成される。これにより、前面パネル３５を介して機械室３０内に吸い込まれた空気は、機械室３０内を空冷した後、排熱ダクト３７を介して外部に排出される。
【００２１】
以上の構成により、冷却装置Ｒの圧縮機３４及び送風機１９が運転されると、圧縮機３４から吐出された高温冷媒は、凝縮器３１に流入し、そこでコンデンシングファン３２の運転により吸い込まれる外気によって空冷される。この凝縮器３１内で放熱して凝縮した冷媒は、前記減圧装置にて減圧された後、冷却器１５に流入して蒸発する。このときに周囲から潜熱を奪って冷却作用を発揮する。
【００２２】
この冷却器１５と熱交換して冷却された冷気は送風機１９が運転されていることにより、背面ダクト９内を吹き上げられ、冷気吐出口１６から陳列室１１の開口下縁の冷気吸込口１７に向けて吐出される。これにより、陳列室１１の開口には冷気によるエアーカーテンが形成されると共に、冷気の一部は陳列室１１内を循環して当該陳列室１１内を所定の温度に冷却する。
【００２３】
一方、上記陳列室１１内には棚装置１２が複数段、本実施例では上下に４段架設されている。各棚装置１２は、後端に後方に突出する鉤状の爪を有した左右一対のブラケット２０、２０と、このブラケット２０、２０上に差し渡して取り付けられた棚板２１とから構成されている。
【００２４】
そして、陳列室１１内の背面パネル６の前面両側に取り付けられた図示しない棚支柱に上下方向に複数形成された取付孔に前記ブラケット２０の爪を係脱自在に係合させることにより、各棚装置１２は陳列室１１内において上下位置（高さ）を変更可能に架設されている。
【００２５】
棚装置１２を構成する棚板２１の前端には、左右に渡って前方に開口する略コ字状の切欠２１Ａが形成されており、当該切欠２１Ａには、反射部材２２が設けられている。この反射部材２２は、図２の側断面図、図３の平面図に示されるように、切欠２１Ａに対し、移動可能な程度に略きっちりの寸法に構成されており、当該反射部材２２の上面には光反射面２２Ａが形成されている。
【００２６】
他方、切欠２１Ａの側方に位置する棚板２１の側面には、回動軸用孔２３と、角度調整用の長孔２４が形成されている。尚、本実施例では、回動軸用孔２３は、角度調整用の長孔２４の前側に位置して形成されるものとする。これにより、回動軸２５を棚板２１の側方から回動軸用孔２３を挿通し、反射部材２２の側面に固定する。また、固定用ビス２６を棚板２１の側方から長孔２４を挿通し、反射部材２２の側面に形成される図示しない固定用孔に螺合させる。
【００２７】
このとき、棚板２１に形成される角度調整用の長孔２４は、回動軸２５を中心として反射部材２２を回動させた際の反射部材２２に形成される前記固定用孔の軌跡上に対応して形成されているものとする。そのため、回動軸２５を中心として、反射部材２２の前端を上下に回動させ、反射部材２２の光反射面２２Ａの角度を棚装置１２の後上方に向けて任意に調整することが可能となる。また、角度を変更した状態で、再度固定用ビス２６にて反射部材２２を棚板２１に固定することができる。尚、本実施例では、当該反射部材２２の回動角度は、棚板２１に形成される角度調整用の長孔２４の範囲に限られるものとする。
【００２８】
尚、図２及び図３における２７は、当該棚装置１２に載置される商品Ｓの価格等を表示するプライスカードを保持するためのプライスレールであり、反射部材２２の前面に設けられている。
【００２９】
上述した如き棚装置１２に設けられる反射部材２２は、蛍光灯１３や２９からの照射光を当該棚装置１２の上方の陳列室１１に向けて反射可能とする適切な角度に調整されている場合には、当該反射部材２２により、棚装置１２の前方に形成されるエアーカーテンに影響を及ぼさない位置とされているものとする。これにより、エアーカーテンが乱されることによる不都合を抑制することができる。尚、当該反射部材２２の斜度を大きく、則ち、棚板２１の上面と反射部材２２の光反射面２２Ａとにより形成される角度を小さくした場合には、より一層、エアーカーテンへの影響を回避することができる。
【００３０】
他方、反射部材２２の斜度を小さく、則ち、棚板２１の上面と反射部材２２の光反射面２２Ａとにより形成される角度を大きくした場合には、光反射面２２Ａからの反射光は多少上向きとなってしまうが、エアーカーテンから冷気を当該棚装置１２上に直接引き込むことが可能となり、係る棚装置１２上に載置される商品Ｓを直接冷気によって冷却することが可能となる。
【００３１】
以上の構成により、上述した如き断熱壁２の上壁前部に設けられる蛍光灯１３及びキャノピー２８に設けられる蛍光灯２９が点灯されると、蛍光灯１３からの照射光は、主に陳列室１１内に照射される。このとき、各棚装置１２の前端に後上方に向けて所定角度にて固定された反射部材２２が設けられていることから、蛍光灯１３から照射された光の内、反射部材２２に照射された光は、当該反射部材２２の光反射面２２Ａにより、該反射部材２２が設けられる棚装置１２の奥側上方に向けて反射される。
【００３２】
また、キャノピー２８に設けられる蛍光灯からの照射光は、ショーケース１直前の外部に照射されると共に、陳列室１１内前部に照射される。そのため、上記蛍光灯１３からの照射光と同様に、陳列室１１内に照射された照射光の内、反射部材２２に照射された光は、当該反射部材２２の光反射面２２Ａにより、該反射部材２２が設けられる棚装置１２の奥側上方に向けて反射される。
【００３３】
これにより、架設される棚装置１２の高さに大きく影響されることなく、蛍光灯１３や２９から照射された光を各棚装置１２上に陳列される商品Ｓに向けて反射することで、各棚装置１２の棚上を明るくすることができ、商品Ｓの陳列効果を向上させることができるようになる。
【００３４】
特に、反射部材２２は、棚装置１２の前部に設けられることから、商品Ｓの斜め下方から棚上の商品Ｓに向けて光を反射させることで、各段の棚装置上方を効果的に照明することが可能となる。これにより、ショーケースに設ける照明装置を増加させることなく、商品Ｓの照明効率の向上を実現することができ、生産コスト及びランニングコストの低減を図ることができるようになる。
【００３５】
また、陳列室１１内に設けられる照明装置を削減することができることから、陳列室１１内における発熱部材を削減することが可能となり、本実施例の如く陳列室１１内を冷却して用いる場合における冷却効率の低下を抑制することができるようになる。
【００３６】
また、棚装置１２に設けられる反射部材２２は、固定用ビス２６を緩めることで、棚装置１２の棚板２１に形成される長孔２４の範囲で、光反射面２２Ａの角度を任意に調整することが可能となる。そのため、反射部材２２の取付角度を調整することで、棚装置１２ごとに、光反射面２２Ａの角度を調整することができ、より一層、棚装置１２上方に陳列される商品Ｓの陳列効果を向上させることができるようになる。
【００３７】
また、図１に示される如く当該ショーケース１が設置される店舗等には、店舗内を照明する照明装置３８が設けられている。当該照明装置３８は、店舗内を照明するのみではなく、一部の照射光が陳列室１１内にも照射される。そのため、係る照射光が各棚装置１２の前部に設けられる反射部材２２に照射されることで、照明装置３８からの照射光を各棚装置１２上に陳列される商品Ｓに向けて反射することが可能となる。これによっても、棚上を明るくすることができ、商品Ｓの陳列効果を向上させることができるようになる。
【００３８】
尚、本実施例では、ショーケース１に陳列室１１内を照明するための蛍光灯１３、２９が設けられているが、一方のみ、若しくは、設けられていない場合であっても本発明による反射部材２２による効果を得ることができる。
【００３９】
また、本実施例では、ショーケース１に設けられる照明装置以外からの照射光として店舗内を照明するための照明装置３８を挙げているが、これに限られるものではなく、反射部材２２の光反射面２２Ａに照射される光のすべてを当該反射部材２２が設けられる棚装置１２の上方に反射することが可能である。
【００４０】
これにより、ショーケース１に設ける照明装置を増加させることなく、陳列室１１内を明るく照明することが可能となり、商品Ｓの陳列効率の向上を実現することができ、生産コスト及びランニングコストの低減を図ることができるようになる。
【００４１】
尚、本実施例では、反射部材２２は、棚装置１２に対し、取付角度を調整可能に設けられているが、これに限定されるものではなく、例えば、図４に示す如く反射部材３９を所定の角度に固定して設けられても良いものとする。即ち、図４に示す棚装置１２では、上面に光反射面３９Ａを構成する反射部材３９を、棚板２１の前端に位置して、棚板２１の上面に対し当該光反射面３９Ａが所定角度だけ棚装置１２後上方に面するように傾斜して構成される。
【００４２】
これによっても、蛍光灯１３や２９からの照射光、更には、店舗内を照明するための照明装置からの照射光の内、反射部材３９に照射された光を、当該反射部材３９の光反射面３９Ａにより、該反射部材３９が設けられる棚装置１２の奥側上方に向けて反射することができる。
【００４３】
これにより、架設される棚装置１２の高さに大きく影響されることなく、蛍光灯１３や２９から照射された光を各棚装置１２上に陳列される商品Ｓに向けて反射することで、棚上を明るくすることができ、商品Ｓの陳列効果を向上させることができるようになる。
【００４４】
この場合においても、反射部材３９は、棚装置１２の前部に設けられることから、商品Ｓの斜め下方から棚上の商品Ｓに向けて光を反射させることで、各段の棚装置上方を効果的に照明することが可能となる。これによっても、ショーケース１に設ける照明装置を増加させることなく、商品Ｓの照明効率の向上を実現することができ、生産コスト及びランニングコストの低減を図ることができるようになる。
【００４５】
また、当該反射部材３９は、棚板２１に固定されているため、部品点数を更に削減することができ、より一層、生産コストの低減を図ることが可能となる。
【００４６】
尚、上述した如き各反射部材２２、３９は、いずれも棚装置１２の前部であって、当該棚装置１２に載置される商品Ｓの前方に設けられていることから、当該反射部材２２、３９によって商品Ｓが落下することを防止することができる。
【図面の簡単な説明】
【００４７】
【図１】ショーケースの縦断側面図である。
【図２】反射部材部分の棚装置の拡大透視側面図である。
【図３】図２の反射部材部分の棚装置の拡大透視平面図である。
【図４】他の実施例としての反射部材部分の棚装置の拡大側面図である。
【図５】従来のショーケースの縦断側面図である。
【符号の説明】
【００４８】
Ｓ    商品
１    ショーケース
２    本体
３    断熱壁
１１  陳列室
１２  棚装置
１３  蛍光灯（照明装置）
１４  下部ダクト
１５  冷却器
１６  冷気吐出口
１７  冷気吸込口
１９  送風機
２１  棚板
２２、３９  反射部材
２２Ａ、３９Ａ  光反射面
２３  回動軸用孔
２４  長孔
２５  回動軸
２６  固定用ビス
２７  プライスレール
２８  キャノピー
２９  蛍光灯（照明装置）
【図１】
2007167376.tif 000003
【図２】
2007167376.tif 000004
【図３】
2007167376.tif 000005
【図４】
2007167376.tif 000006
【図５】
2007167376.tif 000007